(57)【要約】【課題】長時間の使用に伴う悪影響を抑えることのできる頭部装着具を提供する。【解決手段】人体の頭部を左右に跨いで配置されるべきヘッドバンド２０と、ヘッドバンド２０の両端部２１に設けられた一対の耳当て部３０と、ヘッドバンドの形状を初期形状から両端部を外側に広げるように調整可能であり、その初期形状から調整後の形状でヘッドバンド２０を保持可能な調整装置４０とを備える。一対の耳当て部３０を初期位置から外側に変位した位置で保持できるため、ヘッドバンド２０の付勢力により各耳当て部３０から両耳部に作用する押付力も弱められる。よって、押付力を弱めることで長時間の使用に伴う悪影響を抑えられる。【選択図】図１
2015050581.tif 000002
【特許請求の範囲】
【請求項１】
人体の頭部を左右に跨いで配置されるべきヘッドバンドと、
前記ヘッドバンドの両端部に設けられた一対の耳当て部と、
前記一対の耳当て部が初期位置から外側に変位するように該一対の耳当て部の位置を調整可能であるとともに、その調整後の位置で該一対の耳当て部を保持可能な調整装置とを備えることを特徴とする頭部装着具。
【発明の詳細な説明】
【技術分野】
【０００１】
本発明は、ヘッドフォン、イヤーマフ等の頭部装着具に関する。
【背景技術】
【０００２】
ヘッドフォン等の頭部装着具は、通常、ヘッドバンドと、ヘッドバンドの両端部に設けられた一対の耳当て部とを備える（特許文献１参照）。頭部装着具の装着時には、ヘッドバンドの付勢力により、一対の耳当て部が両耳部に押し当てられ、頭部への位置が保持される。
【先行技術文献】
【特許文献】
【０００３】
【特許文献１】特開２００４−０２３７１２号
【発明の概要】
【発明が解決しようとする課題】
【０００４】
パイロット、テレフォンオペレータや、ラジオやテレビ等の放送局の制作局員等の職種では、頭部装着具を長時間に亘り装着する必要の生じる場合がある。また、これら職種以外にも、ヘッドフォンで音楽等を聞くとき等でも、その使用状況によっては、頭部装着具を長時間に亘り装着する場合がある。これらの場合、ヘッドバンドの付勢力により、一対の耳当て部から両耳部に押付力が作用し続け、痛みが生じる場合もある。
【０００５】
本発明は、このような課題に鑑みてなされたものであり、その目的の１つは、長時間の使用に伴う悪影響を抑えられる頭部装着具を提供することにある。
【課題を解決するための手段】
【０００６】
上述の課題を解決するために、本発明のある態様は、頭部装着具に関する。人体の頭部を左右に跨いで配置され、弾性変形可能なヘッドバンドと、ヘッドバンドの両端部に設けられた一対の耳当て部と、一対の耳当て部が初期位置から外側に変位するように一対の耳当て部の位置を調整可能であり、その調整後の位置で一対の耳当て部を保持可能な調整装置とを備える。
【０００７】
本発明のある態様によると、一対の耳当て部を初期位置から外側に変位した位置で保持できる。よって、頭部装着具の装着時において、各耳当て部の外側への変位量が小さくなり、それに伴いヘッドバンドの付勢力により各耳当て部から両耳部に作用する押付力も弱められる。よって、押付力を弱めることで長時間の使用に伴う悪影響を抑えられる。
【発明の効果】
【０００８】
本発明によれば、長時間に亘り頭部装着具を装着する場合でも、長時間の使用に伴う悪影響が抑えられる。
【図面の簡単な説明】
【０００９】
【図１】第１の実施の形態に係る頭部装着具を示す側面図である。
【図２】第１の実施の形態に係る調整装置を示す図である。
【図３】第２の実施の形態に係る調整装置を示す図である。
【図４】第３の実施の形態に係る調整装置を示す図である。
【図５】第４の実施の形態に係る頭部装着具を示す側面図である。
【図６】第４の実施の形態に係るヒンジ体を示す図である。
【発明を実施するための形態】
【００１０】
図１は、第１の実施の形態に係る頭部装着具１０を示す。頭部装着具１０は、ヘッドフォンとして構成される。頭部装着具１０は、ヘッドバンド２０と、ハンガー２５と、一対の耳当て部３０と、マイク部３５と、調整装置４０と、を備える。
【００１１】
ヘッドバンド２０は、弧状に曲げて設けられ、板材又は棒材等により構成される。ヘッドバンド２０は、合成樹脂等の可撓性を有する材料により構成される。ハンガー２５は、ヘッドバンド２０の両端部２１に取り付けられる。ハンガー２５は、その下部に回転軸２７が設けられる。ハンガー２５は、耳当て部３０のハウジング３１（後述する）が回転軸２７を介して連結され、その回転軸２７周りに耳当て部３０を回転可能に支持する。
【００１２】
一対の耳当て部３０は、ヘッドバンド２０の両端部２１のそれぞれに設けられる。耳当て部３０は、ハウジング３１と、イヤパッド３３とを含む。ハウジング３１は、受信した音声を出力するためのスピーカユニット（図示せず）を内蔵する。イヤパッド３３は、ハウジング３１の内側面に取り付けられ、その内部にクッション材を収容する。マイク部３５は、音声を集音して送信するためのものであり、ヘッドバンド２０の左右方向の一方において、耳当て部３０のハウジング３１に取り付けられる。一対の耳当て部３０は、詳細を後述するように、その初期位置より外側に変位した位置（以下、保持位置という）に調整装置４０により保持される。図中では一対の耳当て部３０が保持位置にある状態を実線で示し、初期位置にある状態を二点鎖線Ｓ１で示す。
【００１３】
頭部装着具１０は、人体の頭部への装着時に、一対の耳当て部３０が保持位置にある状態から、ヘッドバンド２０の両端部２１を更に外側に広がるように弾性変形させて、一対の耳当て部３０の間に人体の頭部が位置するように配置される。頭部装着具１０は、その弾性変形により生じる付勢力により、一対の耳当て部３０を人体の両耳部に押し当てることにより、頭部への位置が保持される。図中では、人体の頭部への装着時の状態を二点鎖線Ｓ２で示す。このとき、ヘッドバンド２０は、人体の頭部を左右に跨いで配置され、マイク部３５は、人体の頭部の前側に配置される。耳当て部３０は、回転軸２７周りの回転とイヤパッド３３の弾性変形により、人体の耳部に安定して押し当てられる。
【００１４】
図２は調整装置４０を示し、（ａ）は側面図、（ｂ）は（ａ）のＢ部の拡大分解図、（ｃ）は（ａ）のＣ−Ｃ線断面図、（ｄ）は（ａ）のＤ部の拡大断面図である。調整装置４０は、複数の位置保持部４１と、間隔保持部４３と、引張力付与機構５０とを備える。位置保持部４１は、筒状に形成され、ヘッドバンド２０の長手方向に間隔を空けて複数（図示は２つ）配置される。位置保持部４１は、ヘッドバンド２０を内部に出し入れするための挿入口４１ｂがその側部４１ａに設けられる。挿入口４１ｂは、位置保持部４１の内面に形成されたスライド溝４１ｃに沿ってスライド可能な蓋体４２により開閉される。位置保持部４１は、ねじ、ヒンジ等により、その一部を他の部位から着脱可能とし、その内部にヘッドバンド２０を出し入れ可能としてもよい。
【００１５】
間隔保持部４３は、ヘッドバンド２０の内側において、複数の位置保持部４１に架け渡され、これらの間隔を保持する。間隔保持部４３は、図示の例において、板状に形成されるが、棒状等に形成されてもよく、合成樹脂等の可撓性を有する材料により構成される。
【００１６】
図１に戻り、複数の位置保持部４１内にはヘッドバンド２０が配置され、そのヘッドバンド２０と接触する。位置保持部４１は、ヘッドバンド２０の接触に伴う摩擦力等により、ヘッドバンド２０に対する位置が保持される。位置保持部４１は、ヘッドバンド２０に対する位置を保持できれば図示の形態に限定されず、たとえば、ヘッドバンド２０に突起を設け、その突起との接触により位置保持部４１の位置が保持されてもよい。
【００１７】
図２に戻り、引張力付与機構５０は、一対のバンド５１と、バンド留め具７０とを備える。一対のバンド５１は、複数の間隔保持部４３のそれぞれの上面に取り付けられる。一対のバンド５１は、第１バンド５１Ａと第２バンド５１Ｂとを含む。第１バンド５１Ａの上面５１ａには、その長手方向に沿って複数の鋸歯状の溝部５５が形成される。溝部５５は、ストッパ面５５ａと案内面５５ｂとが長手方向に交互に設けられる。第２バンド５１Ｂには、その先端部にバンド留め具７０が取り付けられる。
【００１８】
バンド留め具７０は、ガイド筒７１と、ロック部材８０とを含む。ガイド筒７１にはバンド挿入孔７１ａが形成され、そのバンド挿入孔７１ａには第１バンド５１Ａがスライド可能に案内されるように挿入される。ロック部材８０は、爪部８１と、レバー部８３と、ロックばね８５とを含む。ロック部材８０は、ガイド筒７１に回転可能に設けられ、その回転方向の一方にロックばね８５により付勢される。爪部８１は、ガイド筒７１内に設けられる。爪部８１は、ロックばね８５の付勢によりロック部材８０が回転すると、バンド挿入孔７１ａ内に挿入された第１バンド５１Ａの溝部５５内に入り込む。
【００１９】
第１バンド５１Ａは、その先端側に移動させようとすると、爪部８１と溝部５５の案内面５５ｂとの接触により爪部８１が溝部５５から抜け出るようにロック部材８０が回転し、その移動が許容される。一方、第１バンド５１Ａは、その基端側に移動させようとすると、爪部８１と溝部５５のストッパ面５５ａとの接触により、その移動が規制される。ロック部材８０は、ガイド筒７１の外側にレバー部８３が設けられる。ロック部材８０は、レバー部８３の操作により、爪部８１が溝部５５から抜け出るように回転する。このとき、第１バンド５１Ａは、その基端側への移動が許容される。
【００２０】
以上の引張力付与機構５０では、ガイド筒７１内に第１バンド５１Ａをある程度挿入するように移動させると、ヘッドバンド２０の外側において、複数の位置保持部４１に対して、互いに近づく方向Ａ４（図１参照）に引張力が付与される。この引張力により、ヘッドバンド２０による付勢力に抗してその両端部２１が外側に広がるような方向Ａ１の曲げ力がヘッドバンド２０に付与される。この曲げ力は、ガイド筒７１内への第１バンド５１Ａの移動量が増加するほど大きくなる。一対の耳当て部３０の位置は、調整装置４０により付与される曲げ力が増加するほど、初期位置から外側に変位するように調整される。なお、この初期位置とは、ヘッドバンド２０に曲げ力を付与しておらず、ヘッドバンド２０が弾性変形していない状態にあるときに、一対の耳当て部３０がある位置をいう。
【００２１】
第１バンド５１Ａの基端側への移動がロック部材８０により規制されるため、第１バンド５１Ａの移動量に応じた曲げ力が保持され、一対の耳当て部３０が調整後の保持位置で保持されるロック状態となる。一方、ロック部材８０の操作により、第１バンド５１Ａの基端側への移動が許容されると、調整装置４０により付与される曲げ力が解除されるロック解除状態となり、ヘッドバンド２０の付勢力により一対の耳当て部３０が保持位置から初期位置に戻る。つまり、調整装置４０は、ロック状態とロック解除状態とを切り替え可能であり、その切り替えのためにロック部材８０が操作される。
【００２２】
調整装置４０は、次のような保持位置において一対の耳当て部３０を保持するように設計される。人体の頭部の平均サイズとして設計上想定されるサイズ（以下、想定サイズという）の頭部に頭部装着具１０を装着する場合を考える。この想定サイズの頭部に頭部装着具１０を装着するためには、ヘッドバンド２０による付勢力に抗して外側に一対の耳当て部３０が変位し、その付勢力により一対の耳当て部３０が人体の両耳部に押し当たることにより、頭部に対する位置が保持される必要がある。このように人体の両耳部に押し当てるときの一対の耳当て部３０の位置を装着位置とすると、装着位置より内側に変位した位置を保持位置とする必要がある。
【００２３】
なお、一対の耳当て部３０が装着位置にあるとき、所定範囲内の押付力が想定サイズの頭部の両耳部に作用するようにしてもよい。この押付力は、想定サイズの頭部への装着時において、その押付力により頭部への位置がずれない程度に保持される範囲内であるとよい。また、この想定サイズは、所定人数の人体の頭部のサイズを測定し、その測定値から得られる加重平均値が用いられてもよいし、企業の知見や統計に基づいて適切と想定される他の値が用いられてもよい。また、保持位置は、一対の耳当て部３０から両耳部に押付力が作用しない位置としてもよい。
【００２４】
以上の実施の形態に係る頭部装着具１０によれば、一対の耳当て部３０を初期位置から外側に変位した位置で保持できる。よって、頭部装着具１０の装着時において、各耳当て部３０の外側への変位量が小さくなり、それに伴いヘッドバンド２０の付勢力により各耳当て部３０から両耳部に作用する押付力も弱められる。よって、パイロット、テレフォンオペレーター等のように、長時間に亘り頭部装着具１０を装着する必要がある場合でも、押付力を弱めることで長時間の使用に伴う悪影響を抑えられる。この悪影響とは、たとえば、耳部等の周りを圧迫して生じる痛みや、サングラス等の眼鏡の耳掛けを耳介の裏側にかけた状態のまま、耳介の表側から押付力が作用して生じる痛みが含まれる。
【００２５】
また、ロック部材８０の操作により、曲げ力を付与したロック状態と曲げ力を解除するロック解除状態とを切り替え可能であるため、押付力を弱めすぎても簡単な操作により押付力を強めることができる。押付力を弱めすぎて耳当て部３０のスピーカユニットから音声を聞き取り難い場合等に有効である。
【００２６】
図３は、第２の実施の形態に係る調整装置４０を示す。調整装置４０は、第１の実施の形態と比較して、引張力付与機構５０の構成のみ相違するので、引張力付与機構５０以外の構成は省略する。図３（ａ）は引張力付与機構５０の分解図、（ｂ）は平面図、（ｃ）は平面断面図である。なお、以下の実施の形態では、第１の実施の形態で説明した要素と同一の要素に同一の符号を付し、重複する説明を省略する。
【００２７】
一対のバンド５１は、その長手方向に沿って貫通孔５９が形成される。第１バンド５１Ａは、貫通孔５９の対向する一対の側面のうち、一方の側面６１（図３の上側）にラック歯６３が形成され、第２バンド５１Ｂは、他方の側面６２（図３の下側）にラック歯６４が形成される。第１バンド５１Ａは、バンド留め具７０のガイド筒７１内にその一方の開口７１ｂから挿入され、第２バンド５１Ｂは、その他方の開口７１ｃから挿入される。第１バンド５１Ａ及び第２バンド５１Ｂは、ガイド筒７１内で重ねて配置される。
【００２８】
バンド留め具７０は、ガイド筒７１に着脱可能に回転ハンドル７３が設けられる。回転ハンドル７３は、第１バンド５１Ａ及び第２バンド５１Ｂの貫通孔５９内に回転軸７５が配置され、その回転軸７５周りに回転自在である。回転軸７５には、その外周面にピニオン歯７７が形成され、第１バンド５１Ａ及び第２バンド５１Ｂのラック歯６３、６４と噛み合う。回転ハンドル７３は、ガイド筒７１の外側に設けられたハンドル部７９の回転操作により回転する。回転ハンドル７３の回転運動は、ピニオン歯７７とラック歯６３、６４との噛み合いにより、第１バンド５１Ａ及び第２バンド５１Ｂの直線運動に変換される。第１バンド５１Ａ及び第２バンド５１Ｂは、回転ハンドル７３の一方向Ｆ１の回転により、それらの基端部が互いに近づく方向に移動し、逆方向の回転により、それらの基端部が互いに遠ざかる方向に移動する。
【００２９】
第１バンド５１Ａ及び第２バンド５１Ｂの基端部が互いに近づく方向にある程度移動すると、ヘッドバンド２０の外側において、複数の位置保持部４１に対して、互いに近づくような引張力が付与される。この引張力により、ヘッドバンド２０による付勢力に抗してその両端部２１が広がるような曲げ力がヘッドバンド２０に付与され、その曲げ力の増加により、一対の耳当て部３０の位置が初期位置から外側に変位するように調整される。
【００３０】
第１バンド５１Ａ及び第２バンド５１Ｂとガイド筒７１との摩擦等により第１バンド５１Ａ等の移動が規制されるため、第１バンド５１Ａ等の移動量に応じた曲げ力が保持され、一対の耳当て部３０が調整後の保持位置で保持される。この曲げ力は、回転ハンドル７３の回転操作により調整され、その曲げ力の調整に伴い一対の耳当て部３０の位置も調整される。つまり、回転ハンドル７３は、一対の耳当て部３０の位置を調整するために操作される位置操作部材１００として機能する。本実施形態によれば、頭部装着具１０を装着した状態のまま、装着者が片手で回転ハンドル７３を回転操作すれば、ヘッドバンド２０に曲げ力が付与され、各耳当て部３０から両耳部に作用する押付力が弱められる。
【００３１】
図４は、第３の実施の形態に係る調整装置４０を示す。調整装置４０は、引張力付与機構５０を備えておらず、調整ねじ４７を備える。調整装置４０の間隔保持部４３は、ヘッドバンド２０の外側において、複数の位置保持部４１に架け渡され、各位置保持部４１の間隔を保持する。間隔保持部４３は、その中間部に貫通した雌ねじ孔４３ａが形成される。調整ねじ４７は、間隔保持部４３の雌ねじ孔４３ａにその軸部４７ａがねじ込まれ、間隔保持部４３からヘッドバンド２０に突出した軸部４７ａにより突出部４９が設けられる。調整ねじ４７は、図４（ｂ）に示すように、頭部４７ｂを回転させることにより、間隔保持部４３からの突出部４９の突出量を変更可能である。
【００３２】
突出部４９は、突出量の変更により、その先端部がヘッドバンド２０の外側に接触して押し当てられる。これより更に突出部４９を突出させると、突出部４９のヘッドバンド２０に対する押し当て量の増大により、ヘッドバンド２０による付勢力に抗してその両端部２１が外側に広がるような曲げ力がヘッドバンド２０に付与される。この曲げ力により、一対の耳当て部３０の位置が初期位置から外側に変位するように調整され、一対の耳当て部３０が調整後の保持位置で保持される。この曲げ力は、調整ねじ４７の回転に伴う突出部４９の突出量の変更により調整され、その曲げ力の調整に伴い一対の耳当て部３０の位置も調整される。つまり、調整ねじ４７は、一対の耳当て部３０の位置を調整するために操作される位置操作部材１００として機能する。本実施形態によれば、突出部４９の突出量の変更により一対の耳当て部３０の位置が調整されるため、調整装置４０について、ヘッドバンド２０の長手方向長さを確保する必要がなく、そのサイズをコンパクト化できる。
【００３３】
なお、間隔保持部４３及び調整ねじ４７をヘッドバンド２０の内側に配置し、調整ねじ４７の先端部をヘッドバンド２０に回転可能に取り付けてもよい。調整ねじ４７は、その先端部からヘッドバンド２０にスラスト荷重が伝達可能に構成されるように、スラスト軸受等を組み合わせた軸受装置によりヘッドバンド２０に回転可能に取り付けられる。この場合、調整ねじ４７の回転に伴い突出部４９の突出量が小さくなり、調整ねじ４７によりヘッドバンド２０が内側に引き寄せられ、ヘッドバンド２０による付勢力に抗してその両端部２１が外側に広がるような曲げ力がヘッドバンド２０に付与される。
【００３４】
図５は、第４の実施の形態に係る頭部装着具１０を示す。ヘッドバンド２０は、複数の分割部材２３を含む。分割部材２３は、ヘッドバンド２０を長手方向に複数（図示は２つ）分割した形状により形成され、ヘッドバンド２０の長手方向に隣接して配置される。分割部材２３は、後述のヒンジ体９０により回転可能に連結される。分割部材２３は、第１分割部材２３Ａと、第２分割部材２３Ｂとを含む。調整装置４０は、ヒンジ体９０を含む。
【００３５】
図６はヒンジ体９０を示し、（ａ）は平面図、（ｂ）は正面断面図、（ｃ）は側面断面図である。ヒンジ体９０は、一対の筒状部９１と、回転軸９２と、ロック部材８０とを備える。筒状部９１は、第１筒状部９１Ａと、第２筒状部９１Ｂとを含む。筒状部９１は、その軸方向の一方に底面が設けられ、他方が開口した円筒状に形成される。一対の筒状部９１は、互いの開口端面を突き合わせて配置される。一対の筒状部９１は。それらの中心に回転軸９２が挿入され、互いに回転軸９２周りに回転自在に設けられる。第１筒状部９１Ａは、第１分割部材２３Ａの先端部に設けられ、第２筒状部９１Ｂは、第２分割部材２３Ｂの先端部に設けられる。
【００３６】
第１筒状部９１Ａは、その内周面に複数の内歯９１ａが形成される。第２筒状部９１Ｂは、その外周面に貫通孔が設けられ、その貫通孔にはロック部材８０が挿通される。第２筒状部９１Ｂは、回転軸９２がスライド自在に挿入される内筒部９１ｂが形成され、その内筒部９１ｂとロック部材８０の内面との間にロックばね８５が設けられる。ロック部材８０は、ロックばね８５の付勢により外側に押し出されるが、第２筒状部９１Ｂの内周面に接触して外側への抜け出しが規制される。ロック部材８０は、第１筒状部９１Ａの内歯９１ａに入り込む爪部８１が設けられる。爪部８１が入り込んでいるとき、一対の筒状部９１の回転は規制される。一方、ロック部材８０を押し込むと、爪部８１が内歯９１ａから抜け出して、一対の筒状部９１の回転が許容される。第１筒状部９１Ａには、その内周面に複数の回転ストッパ９３が設けられ、ロック部材８０が回転ストッパ９３に接触することにより、一対の筒状部９１の回転が所定範囲となるように規制される。
【００３７】
以上の調整装置４０では、一対の筒状部９１の回転がロック部材８０により規制されるため、複数の分割部材２３がなす角度を保持するロック状態となる。一方、ロック部材８０の操作により、一対の筒状部９１の回転が許容され、その回転に伴い複数の分割部材２３が回転し、その回転によりこれらがなす角度を調整可能なロック解除状態となる。また、ロック部材８０の押し込みを解除すると、ロック状態となることにより、その調整後の角度で複数の分割部材２３が保持される。
【００３８】
一対の耳当て部３０は、回転ストッパ９３により一対の筒状部９１の一方向の回転が規制されるとき、初期位置にあるように構成される。一対の筒状部９１の回転により複数の分割部材２３がなす角度を調整すると、一対の耳当て部３０が初期位置から外側に変位するように調整され、その調整後の角度で保持すると、その初期位置から調整後の保持位置で一対の耳当て部３０が保持される。一対の耳当て部３０は、回転ストッパ９３により一対の筒状部９１の他方向の回転が規制されるとき、保持位置にあるように構成されてもよい。なお、初期位置とは、複数の分割部材２３がなす角度が略１８０°となるような予め定められた角度のときに、一対の耳当て部３０がある位置をいう。
【００３９】
人体の頭部への装着時に、ロック部材８０の操作によりロック解除状態とすると、ヘッドバンド２０の付勢力に伴う反力により、複数の分割部材２３が外側の方向Ａ５（図５参照）に移動し、一対の耳当て部３０からの押付力が弱められる。本実施形態によれば、押付力が強すぎる場合、ロック部材８０の操作によりロック解除状態とすれば、簡単な操作により押付力を弱めることができる。
【００４０】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００４１】
上述の実施の形態に係る頭部装着具１０は、ヘッドフォンとして構成されたが、この他にイヤーマフ等として構成されてもよい。ヘッドバンド２０は、人体の頭部を左右に跨いで配置されていれば、その頭部の上方ではなく、後方や前方に配置されてもよい。第１〜第３の実施の形態に係る調整装置４０は、ヘッドバンド２０に着脱可能に取り付けられ、ヘッドバンド２０と別体に設けられたが、ヘッドバンド２０に一体に設けられてもよい。
【００４２】
上述の実施の形態に係る調整装置４０は、ヘッドバンド２０に曲げ力を付与したり、ヘッドバンド２０の角度を調整することにより、一対の耳当て部３０の位置を調整、保持した。調整装置４０は、この他にも、ヘッドバンド２０に対する耳当て部３０の取付位置を変更等することにより、一対の耳当て部３０の位置を調整、保持してもよい。
【００４３】
上述の実施の形態に係る調整装置４０は、一対の耳当て部３０が初期位置から外側に変位するように、各耳当て部３０の位置を調整可能に構成された例を説明した。この構成とともに、調整装置４０は、以下に説明するように、一対の耳当て部３０が初期位置から内側に変位するように、各耳当て部３０の位置を更に調整可能であり、その調整後の位置で各耳当て部３０を保持可能に構成されてもよい。これにより、頭部装着具１０の装着時において、ヘッドバンド２０の付勢力により各耳当て部３０から両耳部に作用する押付力を弱めるだけでなく、その押付力を強めることができる。よって、頭部のサイズが小さいため、ヘッドバンド２０の付勢力による押付力が十分に強くない場合でも押付力を強めることができ、装着者の頭部のサイズによらず、所望の押付力が作用するように調整できる。
【００４４】
第１、第２の実施の形態に係る調整装置４０は、ガイド筒７１内から第１バンド５１Ａを抜き出すように移動等させて、ヘッドバンド２０の外側において、複数の位置保持部４１に対して、互いに離れる方向に力を付与するように構成されればよい。この力により、ヘッドバンド２０による付勢力に抗して、そのヘッドバンド２０に両端部２１が内側に狭まるような曲げ力が付与される。この曲げ力により、一対の耳当て部３０の位置が、初期位置から内側に変位するように調整され、その調整後の位置で保持される。第３の実施の形態に係る調整装置４０は、調整ねじ４７の先端部からヘッドバンド２０にスラスト荷重が伝達可能に構成されるように、調整ねじ４７を軸受装置によりヘッドバンド２０に回転可能に取り付けるとよい。調整ねじ４７の回転に伴う突出部４９の突出量の変更により、第１、第２の実施の形態と同様に、ヘッドバンド２０に両端部２１が内側に狭まるような曲げ力が付与される。第４の実施の形態に係る調整装置４０は、回転ストッパ９３により一対の筒状部９１の一方向の回転（たとえば、図６（ｂ）に示す第１筒状部９１Ａの方向Ｆ２への回転）が規制されるとき、一対の耳当て部３０が初期位置から内側に変位した位置にあるように構成されるとよい。一対の筒状部９１の回転により複数の分割部材２３がなす角度を調整すると、一対の耳当て部３０が初期位置から内側に変位するように調整できる。ロック部材８０の操作により複数の分割部材２３の角度をその調整後の角度で保持すると、一対の耳当て部３０が初期位置から調整後の位置で保持される。
【００４５】
上述の実施の形態に係る調整装置４０は、ヘッドバンド２０に対して、その左右方向Ｂの中央位置に取り付けられたが、ヘッドバンド２０の左右方向Ｂのうち、マイク部３５の取付位置とは逆側に取り付けられてもよい。これにより、片方の耳当て部３０を片手で保持してマイク部３５の位置ずれを抑えつつ、他方の手で調整装置４０を操作できる。なお、マイク部３５は、ヘッドバンド２０に取り付けられてもよい。
【符号の説明】
【００４６】
１０  頭部装着具、２０  ヘッドバンド、２１  両端部、２３  分割部材、３０  耳当て部、３５  マイク部、４０  調整装置、４１  位置保持部、４３  間隔保持部、５０  引張力付与機構、８０  ロック部材、９０  ヒンジ体、１００  位置操作部材。
【図１】
2015050581.tif 000003
【図２】
2015050581.tif 000004
【図３】
2015050581.tif 000005
【図４】
2015050581.tif 000006
【図５】
2015050581.tif 000007
【図６】
2015050581.tif 000008